(57)【要約】  電気的に作動されるロッキング機構が、ロッキング機構の制御のためのマイクロプロセッサーを含み、またロッキング機構が、引き出しスライドを閉位置にロックするために用いられる。マイクロプロセッサーは、ロッキング機構の筐体にあり、またマイクロプロセッサーは、ロックコンポーネントをロック状態に駆動するべく、モーターに第１方向に稼働するように指令し、またロックコンポーネントをロック解除状態に駆動するべくモーターを第２方向に稼働するように指令する。
2015525621.tif 000002
【特許請求の範囲】
【請求項１】
キャビネット内に実装するための筐体；
前記筐体内に少なくとも部分的に、回転可能に実装されるラッチレシーバー；
前記筐体内に少なくとも部分的に、回転可能に実装されるレバーアームであって、前記レバーアームが第１方向での前記ラッチレシーバーの回転を阻止するロックされた位置と、前記レバーアームが前記第１方向での前記ラッチレシーバーの回転を阻止しない位置の間で回転可能である、レバーアーム；
前記筐体内に少なくとも部分的に実装される電気的に作動されるアクチュエーターであって、前記レバーアームを少なくとも一方向に回転させるべく駆動可能に前記レバーアームに結合される、電気的に作動されるアクチュエーター；及び
前記レバーアームが前記ロックされた位置にあるか否かを第１スイッチの状態で示す第１スイッチを備える、ロック機構を含む組立品。
【請求項２】
前記電気的に作動されるアクチュエーターがモーターであり、前記モーターがカムにより前記レバーアームに駆動可能に結合され、前記第１スイッチが前記カムにより操作され、前記第２スイッチの状態で前記ラッチレシーバーが閉位置にあるかどうかを示す、請求項１に記載の組立品。
【請求項３】
第２スイッチを更に備え、前記第２スイッチの状態で前記ラッチレシーバーが閉位置にあるか否かを示す、請求項１に記載の組立品。
【請求項４】
前記第１スイッチ及び前記第２スイッチの状態がアクセスコントローラーに提供される、請求項３に記載の組立品。
【請求項５】
前記筐体内のマイクロプロセッサーを更に備え、前記マイクロプロセッサーが、ロッキング位置から前記レバーアームを駆動するようにモーターの動作を指示するように構成される、請求項３に記載の組立品。
【請求項６】
前記第１スイッチ及び前記第２スイッチの状態が前記マイクロプロセッサーに提供される、請求項５に記載の組立品。
【請求項７】
前記マイクロプロセッサーが、前記筐体内の回路基板に実装される、請求項６に記載の組立品。
【請求項８】
前記回路基板が、前記電気的に作動されるアクチュエーターに隣接する、請求項７に記載の組立品。
【請求項９】
前記マイクロプロセッサーが、デジタル信号プロセッサー、ＦＰＧＡ、又はＡＳＩＣの一つである、請求項６に記載の組立品。
【請求項１０】
前記回路基板が絶縁性スリーブ内にある、請求項７に記載の組立品。
【請求項１１】
前記マイクロプロセッサーは、外部装置からの信号に基づいて前記電気的に作動されるアクチュエーターの動作を指示するように構成される、請求項５に記載の組立品。
【請求項１２】
前記マイクロプロセッサーが電力変換器を含む、請求項５に記載の組立品。
【請求項１３】
前記電力変換器が、約５Ｖ〜３０Ｖの範囲の入力電圧を受け取り、約プラス又はマイナス５Ｖの出力電圧を供給する、請求項１２に記載の組立品。
【請求項１４】
前記マイクロプロセッサーは、ロッキング位置から前記レバーアームを駆動するように第１方向にモーターを駆動するように構成され、また前記レバーアームがロッキング位置へ戻ることを許容するために第２方向に前記モーターを駆動するように構成される、請求項５に記載の組立品。
【請求項１５】
前記レバーアームの上部が、ロッキング位置での前記第１方向の前記ラッチレシーバーの回転を阻止する、請求項１に記載の組立品。
【請求項１６】
前記筐体の基部に結合した板バネを更に備え、前記板バネが、前記ラッチレシーバーの移動路内に突出する突出部を含む、請求項１に記載の組立品。
【請求項１７】
前記ラッチレシーバーが閉位置にある時、前記ラッチレシーバーの第１脚が前記基部に向かって前記板バネを付勢する、請求項１６に記載の組立品。
【請求項１８】
前記板バネが戻り止め機構を提供する、請求項１６に記載の組立品。
【請求項１９】
前記ラッチレシーバーが第２脚及び第３脚を含み、開位置でピンを受け入れ、閉位置で前記ピンを捕獲するための凹部を規定する、請求項１６に記載の組立品。
【請求項２０】
引き出しスライドを更に備え、前記引き出しスライドが、前記筐体に対して位置が固定された第１スライド部材と、前記第１スライド部材から伸長可能である第２スライド部材を含む、請求項１に記載の組立品。
【請求項２１】
前記第２スライド部材が閉位置にある時に前記第１スライド部材から離れる方向に前記第２スライド部材の動きを制約するための手段を更に備える、請求項２０に記載の組立品。
【請求項２２】
前記ラッチレシーバーの前方に位置されるポストを更に備え、前記ポストが、前記第２スライド部材の長手中心線に向かって臨むリップを含む、請求項２０に記載の組立品。
【請求項２３】
突起を有するタブを更に備え、前記タブが、前記第２スライド部材から延び、前記第２スライド部材が閉位置にある時に前記突起がポストに隣接する、請求項２０に記載の組立品。
【請求項２４】
前記第２スライド部材が前記第１スライド部材に中間スライド部材を介して結合され、前記第２スライド部材が前記中間スライド部材から伸長可能であり、前記中間スライド部材が前記第１スライド部材から伸長可能である、請求項２２に記載の組立品。
【請求項２５】
前記ラッチレシーバーが、前記第１スイッチに接触するためのフランジを含む、請求項３に記載の組立品。
【請求項２６】
前記フランジが、前記ラッチレシーバーの延在する基部表面である、請求項２５に記載の組立品。
【請求項２７】
前記ラッチレシーバーが、前記開位置においてピンを受け入れ、前記閉位置において前記ピンを捕獲するための凹部を規定する、請求項２６に記載の組立品。
【請求項２８】
前記筐体が、キャビネットにおける引き出しスライドの動作エンベロープ内に適合するように寸法される、請求項１に記載の組立品。
【請求項２９】
キャビネット内に実装するための筐体；
前記筐体内に少なくとも部分的に、回転可能に実装されるラッチレシーバーであって、開位置と閉位置の間で回転可能である、ラッチレシーバー；
前記筐体内に少なくとも部分的に、回転可能に実装されるレバーアームであって、前記レバーアームが第１方向での前記ラッチレシーバーの回転を阻止するロックされた位置と、前記レバーアームが前記第１方向での前記ラッチレシーバーの回転を阻止しない位置の間で回転可能である、レバーアーム；
前記筐体内に少なくとも部分的に実装される電気的に作動されるアクチュエーターであって、前記レバーアームを少なくとも一方向に回転させるべく駆動可能に前記レバーアームに結合される、電気的に作動されるアクチュエーター；及び
前記筐体内のマイクロプロセッサーであって、ロッキング位置から前記レバーアームを駆動するべく、前記電気的に作動されるアクチュエーターの動作を指示するように構成されるマイクロプロセッサーを備える、ロック組立品。
【請求項３０】
前記マイクロプロセッサーが、デジタル信号プロセッサー、ＦＰＧＡ、又はＡＳＩＣの一つである、請求項２９に記載のロック組立品。
【請求項３１】
前記マイクロプロセッサーは、前記筐体内の回路基板上に実装される、請求項２９に記載のロック組立品。
【請求項３２】
前記回路基板が絶縁性スリーブ内にある、請求項３１に記載のロック組立品。
【請求項３３】
前記マイクロプロセッサーは、５Ｖ〜３０Ｖの範囲からプラス又はマイナス５Ｖの範囲に電力変換するための電力変換器を含む、請求項３１に記載のロック組立品。
【請求項３４】
カムを更に備え、前記電気的に作動されるアクチュエーターがモーターであり、前記モーターが前記カムにより前記レバーアームに駆動可能に結合される、請求項３１に記載のロック組立品。
【請求項３５】
前記カムにより操作されるスイッチを更に備え、スイッチの状態で前記レバーアームがロックされた位置にあるか否かが示される；前記スイッチの状態が前記マイクロプロセッサーに提供される、請求項３４に記載のロック組立品。
【請求項３６】
前記ラッチレシーバーにより作動されるスイッチを更に備え、前記スイッチの状態は、前記ラッチレシーバーが前記閉位置にあるか否かを示す、請求項２９に記載のロック組立品。
【請求項３７】
前記スイッチの状態が前記マイクロプロセッサーに提供される、請求項３６に記載のロック組立品。
【請求項３８】
前記スイッチが前記ラッチレシーバーのフランジにより操作される、請求項３６に記載のロック組立品。
【請求項３９】
前記ラッチレシーバーにより操作される追加のスイッチを更に備え、前記追加のスイッチの状態が、前記ラッチレシーバーが閉位置にあるか否かを示し、前記追加のスイッチの状態が前記マイクロプロセッサーに提供される、請求項３５に記載のロック組立品。
【請求項４０】
筐体内に少なくとも部分的に、回転可能に実装されるラッチレシーバー；
前記筐体内に少なくとも部分的に、回転可能に実装されるレバーアームであって、前記レバーアームが第１方向での前記ラッチレシーバーの回転を阻止するロックされた位置と、前記レバーアームが前記第１方向での前記ラッチレシーバーの回転を阻止しない位置の間で回転可能である、レバーアーム；
前記筐体内に少なくとも部分的に実装される電気的に作動されるアクチュエーターであって、前記レバーアームを少なくとも一方向に回転させるべく駆動可能に前記レバーアームに結合される、電気的に作動されるアクチュエーター；
前記ラッチレシーバーにより操作される第１スイッチであって、前記第１スイッチの状態でロッキングアームがロックされた位置にあるか否かを示す、第１スイッチ；及び
前記ラッチレシーバーとの係合のためのピンを含むアンダーマウント・引き出しスライドを備える、ロック機構を含む組立品。
【発明の詳細な説明】
【技術分野】
【０００１】
本発明は、概して、引き出しスライド、またより端的には、ロッキング機構を有する引き出しスライドに関する。
【背景技術】
【０００２】
引き出しスライド（drawer slides）は、度々、キャビネット内の引き出し又はフレーム内のラックを伸長可能に結合するために用いられる。一例としてキャビネット用途を挙げれば、引き出しスライドが、一般的に、引き出しに実装される一つの部材と、キャビネットに実装される別の部材を有する。２つの部材が伸長可能に一緒に結合され、度々、ボールベアリングが介在され、引き出しスライドの伸長がキャビネットからの引き出しの伸長を提供し、引き出し内の内容物の簡単なアクセスが許容される。
【０００３】
不幸にも、引き出しの内容物への簡単な非制御のアクセスが常に望ましいわけではない。引き出しが、個人的性質の物品を収容し、商業的な設定において度々見られるように、引き出しが、高価な物品を収容するかもしれない。そのような物品の安全な保管が重要な検討事項であり、簡単なアクセス性を提供する引き出しスライドが適切なものではないこともあり得る。
【０００４】
例えば、安全又はロックボックスにより提供されるようなより安全な保管が常に適切なわけではない。制御された態様においてさえ、収容物品への始終の頻繁及び繰り返しのアクセスが要求されることがある。更には、安全及びロックボックスに関連する構造がいくばくか大きすぎ、他の場合に望まれるキャビネットタイプの構造に簡単に組み込めない。
【発明の概要】
【課題を解決するための手段】
【０００５】
本発明の側面が引き出しスライド及び電子的に作動されるロック機構を提供する。
【０００６】
本発明の一側面が、ロック機構を含む組立品を提供し、該組立品が、
キャビネット内に実装するための筐体；
前記筐体内に少なくとも部分的に、回転可能に実装されるラッチレシーバー；
前記筐体内に少なくとも部分的に、回転可能に実装されるレバーアームであって、前記レバーアームが第１方向での前記ラッチレシーバーの回転を阻止するロックされた位置と、前記レバーアームが前記第１方向での前記ラッチレシーバーの回転を阻止しない位置の間で回転可能である、レバーアーム；
前記筐体内に少なくとも部分的に実装された電気的に作動されるアクチュエーターであって、前記レバーアームを少なくとも一方向に回転させるべく駆動可能に前記レバーアームに結合される、電気的に作動されるアクチュエーター；及び
前記レバーアームが前記ロックされた位置にあるか否かを第１スイッチの状態で示す第１スイッチを備える。
【０００７】
本発明の別側面が、ロック組立品を提供し、該ロック組立品が、
キャビネット内に実装するための筐体；
前記筐体内に少なくとも部分的に、回転可能に実装されるラッチレシーバーであって、開位置と閉位置の間で回転可能である、ラッチレシーバー；
前記筐体内に少なくとも部分的に、回転可能に実装されるレバーアームであって、前記レバーアームが第１方向での前記ラッチレシーバーの回転を阻止するロックされた位置と、前記レバーアームが前記第１方向での前記ラッチレシーバーの回転を阻止しない位置の間で回転可能である、レバーアーム；
前記筐体内に少なくとも部分的に実装される電気的に作動されるアクチュエーターであって、前記レバーアームを少なくとも一方向に回転させるべく駆動可能に前記レバーアームに結合される、電気的に作動されるアクチュエーター；及び
前記筐体内のマイクロプロセッサーであって、ロッキング位置から前記レバーアームを駆動するべく、前記電気的に作動されるアクチュエーターの動作を指示するように構成されるマイクロプロセッサーを備える。
【０００８】
本発明の別側面が、ロック機構を含む組立品を提供し、該組立品が、
筐体内に少なくとも部分的に、回転可能に実装されるラッチレシーバー；
前記筐体内に少なくとも部分的に、回転可能に実装されるレバーアームであって、前記レバーアームが第１方向での前記ラッチレシーバーの回転を阻止するロックされた位置と、前記レバーアームが前記第１方向での前記ラッチレシーバーの回転を阻止しない位置の間で回転可能である、レバーアーム；
前記筐体内に少なくとも部分的に実装される電気的に作動されるアクチュエーターであって、前記レバーアームを少なくとも一方向に回転させるべく駆動可能に前記レバーアームに結合される、電気的に作動されるアクチュエーター；
前記ラッチレシーバーにより操作される第１スイッチであって、前記第１スイッチの状態でロッキングアームがロックされた位置にあるか否かを示す、第１スイッチ；及び
前記ラッチレシーバーとの係合のためのピンを含むアンダーマウント・引き出しスライドを備える。
【０００９】
本発明のこれら及び他の側面が、この開示の参照によりより十分に理解される。
【図面の簡単な説明】
【００１０】
【図１】図１は、本発明の側面に係るロック機構を有する引き出しスライドを図示する。
【００１１】
【図２】図２は、図１の部分拡大図を表す。
【００１２】
【図３】図３は、ロッキング位置にある図１の装置を図示する。
【００１３】
【図４】図４は、本発明の側面に係る引き出しスライド組立品に結合したロック機構のための筐体の正面図である。
【００１４】
【図５】図５は、本発明の側面に係るロック機構を有する別の引き出しスライドを図示する。
【００１５】
【図６】図６は、図５のロック機構を有する引き出しスライドの斜視図を図示する。
【００１６】
【図７】図７は、本発明の側面に係る更なるロック機構を有する引き出しスライドの斜視図を図示する。
【００１７】
【図８】図８は、本発明の側面に係る更なるロック機構の斜視図を図示する。
【００１８】
【図９】図９は、図８のロック機構の平面図を図示する。
【００１９】
【図１０】図１０は、本発明の側面に係る更なるロック機構の平面図を図示する。
【００２０】
【図１１】図１１は、本発明の側面に係る更なるロック機構を図示する。
【００２１】
【図１２】図１２は、本発明の側面に係るシステムの半ブロック図である。
【発明を実施するための形態】
【００２２】
図１は、本発明の実施形態に係るロック機構１０４を有する引き出しスライド１０２を図示する。概して、図１の実施形態において、ラッチアームが、引き出しに実装され、またそれと動かされることが意図される引き出しスライド部材の部分に位置づけられ、またロック機構が、キャビネットに実装され、キャビネットとの関係において定位置に維持されることが意図される引き出しスライド部材に結合される。図示のように、ロック機構が、キャビネットに実装されることが意図される引き出しスライド部材の部分に結合されるが、幾つかの実施形態においては、ロック機構がキャビネットに実装される。ほとんどの実施形態においては、ロック機構の寸法が、引き出しスライドの動作エンベロープ（operating envelope）内に適合するように定められるが、幾つかの実施形態においては、ロック機構が、引き出しスライドの動作エンベロープ内に実装される。引き出しスライドの動作エンベロープは、概して、キャビネット壁と引き出しの間の空間未満若しくはそれに等しい幅を有し、またおよそ引き出しの高さ若しくはそれ未満の高さを有する空間である。幾つかの実施形態においては、ロック機構の寸法が、引き出しスライドの輪郭（外形）に適合するように定められる。幾つかの実施形態においては、ロック機構の厚み、及び／又はロック機構のコンポーネントを有するコンポーネントが、およそ１／２インチである。但し、他の実施形態においては、厚みが３／８インチであり、幾つかの実施形態においては、厚みが３／４インチである。
【００２３】
ロック機構がラッチレシーバー１１５を含む。ラッチレシーバーは、引き出しスライドが閉位置にある若しくはおよそ閉位置にある時、ラッチアームを受け取る。ラッチレシーバーが、レバーアーム１１７によりロックされた位置に維持される。レバーアーム１１７が、モーター１１９の作動によりロッキング位置と非ロッキング位置の間で移動可能である。幾つかの実施形態においては、ラッチレシーバーが、レバーアームの上部との係合によりロックされた位置に維持される。幾つかの実施形態においては、例えば、図１に図示のように、ラッチレシーバーが、バネ１２１により開いた若しくはロック解除位置に向かって付勢される。非ロッキング位置へのレバーアームの移動は、例えば、モーター及び関連の駆動機構を用い、ラッチレシーバーをロック解除位置へ解放する。
【００２４】
図１の実施形態に図示のように、引き出しスライド１０２は、３部材の入れ子式の引き出しスライドであり、キャビネットへの実装のために構成された外側スライド部材１０６、引き出しへの実装のために構成された内側スライド部材１０８、及び外側スライド部材と内側スライド部材の間を結合する中間スライド部材１１０を備える。３つのスライド部材の各々が、ウェブの長さに沿うベアリングレースを具備する長手ウェブ（例えば、参照番号１１２により識別される内側スライド部材１０８の長手ウェブ）を含む。様々な実施形態においては、より多く若しくは少ない数のスライド部材が用いられ、また様々な実施形態においては、異なる種類の引き出しスライド部材、例えば、オーバー及びアンダースライド部材、アンダーマウントスライド部材、摩擦スライド部材、又は他の種類のスライド部材が用いられる。
【００２５】
多くの実施形態においてボールベアリングを介してスライド可能若しくは転動可能に結合した３つの引き出しスライド部材が、外側スライド部材に中間スライド部材が入れ子になり、順に中間スライド部材に内側スライド部材が入れ子になって構成される。キャビネット及び引き出しに実装される時、閉位置にスライドし、中間スライド部材と内側スライド部材が、実質的に外側スライド部材の容積内にある。
【００２６】
図１に図示の実施形態においては、ラッチアームが内側スライド部材に設けられ、ラッチアームが、内側スライド部材のウェブから中間スライド部材のウェブに向かって延びるピン１１６の形態にある。好ましくは、ピンは、依然としてラッチレシーバーに係合するのに十分な長さを有しつつ、ピンが阻止されない形態で中間スライド部材及び中間スライド部材内の関連の部品（例えば、ベアリング保持器）を通過して動くことを許容するべく算出された距離だけ中間のウェブに向かって延びる。図１の実施形態に示すように、ピンが、内側スライド部材のウェブの伸長部１１４から延びる。（明確性のために部分的に明瞭に示される）伸長部１１４が、内側スライド部材の後部付近に延びる。幾つかの実施形態においては、また図１に図示のように、伸長部が、内側スライド部材の長手ウェブの緯幅（横幅）（latitudinal width）未満の長手幅を有する。
【００２７】
ピンは、内側スライド部材の伸長部に溶接され、若しくは他の方法、例えば、リベットのピンでリベット留めすることにより取り付けられる。他の実施形態においては、ピンが、内側スライド部材の材料から形成され、例えば、内側スライド部材の材料がパンチ又はプレスされたポスト又は他の形態であり得る。
【００２８】
ロック機構が、ラッチレシーバー内にピンを捕獲し、閉じた若しくはロックされた位置に内側スライド部材を留めるように組み合わされて作動するべく構成されたコンポーネント群を含む。逆に言えば、また、ロック機構のコンポーネント群が作動され、ラッチレシーバーからピンを解放し、従って、内側スライド部材を解放してそれが開位置に戻ることを許容する。ラッチレシーバーがピンを捕獲し、ピン、また従って内側スライド部材が、開位置へ動くことから阻止される。従って、ピンが、ラッチアームとして理解され、またピン及びラッチレシーバーが一緒にラッチであると理解される。
【００２９】
自動化されたオープンアシスト機構１０５が筐体内に設けられ、引き出しスライド及び引き出しのためにオープンアシスト機能を提供する。一実施形態においては、オープンアシスト機構が筐体内に位置づけられ、引き出しスライド組立品の部分、例えば、中間スライド部材に係合する。オープンアシスト機構がバネ収容部を含み、これが、バネといった付勢部材に結合したプランジャー（plunger）を組み込む。一実施形態においては、動作上、引き出しスライドを閉じるや、プランジャーが中間スライド部材により接触され、これにより、プランジャーが、収容部内の付勢部材を圧縮する。従って、付勢部材が、中間スライド部材を前方に付勢し、他方、内側スライド部材が定位置にロックされる。しかしながら、ラッチレシーバーがロック解除位置に動く時、付勢部材による付勢が、プランジャーを介して中間スライド部材を前方に押動し、前方、少なくとも僅かに開位置へ内側スライド部材及び引き出しを送り出す。しかしながら、幾つかの実施形態においては、オープンアシスト機構の機能が、通常は開位置へラッチレシーバーを付勢する、以下で記述のバネにより提供される。
【００３０】
図１の実施形態の部分拡大図を示す図２により図示される実施形態に示されるように、ロック機構が、筐体基部２２２に対してスクリュー又はリベット２２０を用いて回転可能に実装されたラッチレシーバー２１８を含む。代替として、幾つかの実施形態においては、ロック機構、若しくは幾つかの実施形態においてはラッチレシーバーが、外側スライド部材又はキャビネットフレームに対して実装される。ラッチレシーバーは、ラッチレシーバーから延びる２つの脚、第１脚２２４及び第２脚２２６により規定された概してＵ字状であり、第１及び第２脚が、それらの間にピン２１６を受け入れるための凹部２２８を規定する。第３脚２３０は、おおよそ凹部に対して垂直に、概してＵ字形状のラッチレシーバーの一側面から延びる。開いた若しくはロック解除位置において、凹部の開口が、ロック機構の「前（front）」端２３２に臨む。この位置において、ピンが、凹部の内外に移動することが許容され、従って、内側スライド部材の前方移動又は伸長が許容され、また従って、内側スライド部材に結合した引き出しを開けることが許容される。
【００３１】
図２の実施形態においては、ラッチレシーバー２１８が、第１バネ２３４により開位置又はロック解除位置に付勢される。およそ凹部に対するラッチレシーバーの反対側の位置でラッチレシーバーに対して第１バネが結合される。第１バネは、そこから延びる柱（stanchion）又はポストを介してその他方の端部で筐体基部に対して結合され、ラッチレシーバーが閉位置に回転される時、反作用を提供してバネ力を生成し、従って、第１バネがラッチレシーバーを開位置へ付勢する（回転させる）。幾つかの実施形態においては、第１バネが、内側スライド部材を蹴り出すのに十分な力を有し、代替のオープンアシスト機構を提供する。
【００３２】
バンパー２３６は、ラッチレシーバーが開位置にある時にラッチレシーバーの第３脚２３０に係合するように位置づけられる。好ましくは、バンパーが、例えば、ゴム製の軟質性シェル（soft compliant shell）を含み、第３脚とバンパーの接触により生成される雑音を低減する。第３脚とのその係合が第１バネからの付勢に対抗し、凹部がピンを受け入れるように位置づけられる時にラッチレシーバーの回転を停止させるようにバンパーが位置づけられる。第１バネによるラッチレシーバーの不断の付勢及びバンパーに対する第３脚によるその付勢の反作用が、ラッチレシーバーが定位置に保持され、偶然にその位置から外れないことを確証する。
【００３３】
図１も併せて参照すると、引き出しスライド組立品を閉じることにより、ピン１１６がラッチレシーバーに係合し、内側スライド部材及びラッチレシーバーを閉位置又はロックされた位置に強いる。引き出しスライド組立品を閉じる過程で、凹部の開口が、およそ引き出しスライド１０２の移動方向に垂直に回転され、ピンが第１及び第２脚の間の凹部内に捕獲される。この位置において、概してＵ字形状のラッチレシーバーの第１脚２２４が、ピンの前方移動を阻止し、従って、内側スライド部材及び引き出しの前方移動を阻止し、結果として、引き出しが閉位置にロックされる。
【００３４】
再び図２を参照すると、ロック機構が、駆動組立品も含み、これが、駆動組立品の作動時にラッチレシーバーからピンを解放するために用いられる。駆動組立品の構成部品が、レバーアーム２３８、モーター２４０、及びモーターカム２４２を含む。モーターがスピンドルを回転し、幾つかの実施形態においては、ギア類の使用を通じて、モーターカムの回転が生じる。レバーアーム２３８は、ラッチレシーバーをロック若しくはロック解除するために駆動組立品により位置決めされる。
【００３５】
レバーアームは、実質的に平坦であり、概して長方形状である。穴２２４は、筐体基部への実装のためのピン又はリベットの挿入のため、およそレバーアームの上端２４６から１／３の長さでレバーアームに設けられる。ピン又はリベットは、レバーアームがその上で回転するための支点（fulcrum）を提供する。カム従動節２４８が、レバーアームの上端とは反対側の端部に形成され、モーターカムに係合するように構成される。
【００３６】
第２バネ２５０により、レバーアームが、図２に示す準備（ready）又は「ロッキング」位置に付勢され、レバーアームの上部が、ラッチレシーバーの第３脚２３０の移動路にある。準備位置にある時、第２バネが、モーターカムに抗してカム従動節も付勢する。一実施形態においては、モーターの動作の一サイクル（例えば、１／４回転、半回転）において、モーターカムがカムする位置に回転し、レバーアームを第３脚の移動路２５２の外に回転させるのに十分な量だけカム従動節の表面を押すようにモーターカムの表面が設計される。モーターの停止に際しては、モーターカムが、第３バネ２５４を用いて非カム位置に戻るまで回転される。第３バネは、モーターカムを非カム位置に付勢するように、モーターカム及び柱に結合される。モーターの停止に際し、第３バネが、停止のモーターの抗力に打ち勝ち、モーターカムを非カム位置に戻す。加えて、幾つかの実施形態においては、また図２に図示のように、モーターカムが、カム停止部及び非カム停止部を含み、両方が、モーターカムから延びるアームの形態にある。停止部は、各々、カム及び非カム位置において、カム及びモータースピンドルの過剰な回転を阻止するように機能する。
【００３７】
操作上、モーターカムが、カム従動節に係合し、レバーアームを開位置に回転し、レバーアームの上端が、ラッチレシーバーの第３脚とのロッキング係合から移動して離れる。操作上、モーターカムが、モーターに結合し、モーターの回転によりモーターカムがカム従動節を押圧し、第２バネ及び第３バネによるバネ力に打ち勝ち、そして、レバーアームを回転させ、ラッチレシーバーの第３脚が、レバーアームの上部を開ける。
【００３８】
モーター２４０が、電気配線２５６を介して電力供給される。電力がバッテリーにより若しくはそれを介してモーターに供給され、若しくは電源出力口が住宅又は商業設備に共通に設けられ、ユーティリティー又はバックアップ電源又は同種のものにより電力が供給される。モーターは、バネ又は他の力に打ち勝つ十分なトルク性能を有する任意のモーターであり、望まれる時にレバーアームを回転させる。例えば、モーターが、ギアモーター、ステッピング・モーター及び同種のものであり得る。
【００３９】
概して、ボタン、スイッチ又は同種の装置の使用でモーターが望まれる時に稼働される。幾つかの実施形態においては、モーターのための駆動回路が設けられ、これが、無線送信器からの好ましくは符号化された信号によりキーパッドによるパスワード又は識別番号の入力により作動され、若しくは、好ましくは、許可された引き出しの解放の要求を示す幾つかの他の方法による暗号化された信号の受信により作動される。
【００４０】
図３は、本発明の実施形態に係るロッキング位置の図２の装置の図示である。例えば、引き出しの内容物へのアクセスが完了すると、ユーザーが引き出しを閉じ、引き出しスライドを閉じ、内側スライド部材がロック機構に向かって移動される。図２のように、ピン３１６が、引き出しスライド組立品の内側スライド部材のウェブ３２０の後位置から垂直に延びる。ラッチレシーバー３２４が、ピンの移動路に位置づけられ、ラッチレシーバーが、ピンを受け入れるための凹部を含む。図３に図示のように、ピンがラッチレシーバーの凹部にある。ラッチレシーバーは、通常、第１バネ３２６により付勢され開位置にあり、凹部がピンを受け入れるように位置づけられ、ピンの動きが、第１バネの付勢に打ち勝ち、ラッチレシーバーを閉位置に回転させる。ラッチレシーバーが、レバーアーム３０２により、図３に示されるように閉位置に維持される。レバーアーム３０２は、モーター３２８の作動でラッチレシーバーを解放する。
【００４１】
従って、内側スライド部材が閉位置に向かって移動されるため、ピンが、ラッチレシーバーの凹部に到達する。ユーザーが引き出しを閉じるようにスライドさせることを継続し、ピンは、ピンの移動路にある、概してＵ字形状のラッチレシーバーの第２脚３３０に対して押される。第２脚に対するピンの押圧が、第１バネ３２６の付勢力に打ち勝ち、ラッチレシーバーが、開位置又は非ロッキング位置から図３に図示の閉位置又はロッキング位置に回転させられる。
【００４２】
ラッチレシーバーの回転により、ラッチレシーバーの第３脚３０６もバンパーから離れるように回転する。図３に図示のように、レバーアームが、ラッチレシーバーの第３脚の移動路にある。従って、ラッチレシーバーの第３脚が、回転中、レバーアームに接触又は衝突する。しかしながら、ラッチレシーバーの第２脚に対するピンの回転力は、レバーアームに係合し、ラッチレシーバーに対してその準備又はロッキング位置にレバーアームを保持する第２バネ３５０によるバネ力に打ち勝つのに十分である。従って、レバーアーム３０２の上端３０８が、第３脚の通路から押し出され、支点又は枢動点周りに回転される。レバーアーム３０４の下端の回転により、第２バネが圧縮される。
【００４３】
しかしながら、図３に示すように、レバーアームの下端に対する圧縮された第２バネによる付勢のため、第３脚がレバーアーム３０８の上端を除いた後、レバーアームがロッキング位置に戻る。レバーアームの上端と第３脚の下端の間の係合によりラッチレシーバーが開位置に戻るように回転することが阻止され、従って、ピン、内側スライド部材、及び引き出しを閉位置にロックする。
【００４４】
モーターの作動時、例えば、ボタンの押圧により、スイッチを投入し、駆動回路による暗号化信号の受け取り後、若しくは他の活性化手段により、ラッチレシーバーがその開位置に戻される。モーターの稼働でモーターカム３３４が回転する。モーターカムの表面とレバーアームのカム従動節３３６の間の係合が十分な力で為され、第２バネの付勢力、及びレバーアームの上端と第３脚の下端の間の任意の摩擦に打ち勝ち、レバーアームをその枢動点周りに回転させる。レバーアームの回転により、レバーアームの上端がラッチレシーバーの第３脚の移動路から移動して出る。第３脚がレバーアームと接触しなくなると、第１バネがラッチレシーバーを非ロッキング位置に付勢し、第３脚をその移動路に沿って枢動し、第３脚がバンパー３３８に係合するや、回転を止める。ピン、また従って内側スライド部材及び引き出しは、前方の伸長した位置に自由に動くことができる。
【００４５】
ピンの前方移動が筐体３４０における圧縮バネ（不図示）により補助される。圧縮バネが、引き出しスライド組立品の中間スライド部材を受けるプランジャーに結合した端部を有する。引き出しスライドが閉じられるため、シャフトを介して、中間スライド部材が、圧縮バネを圧縮する。ラッチレシーバーがピンを開放すると、圧縮バネが、開位置に向かって、中間スライド部材、また従って、内側スライド部材及び引き出しを押動するオープンアシスト力を提供する。
【００４６】
図４は、引き出しスライド組立品に結合したロック機構のための筐体のフロントを含む図である。図示のように、引き出しスライド組立品が、閉位置又はロッキング位置にある。この実施形態においては、上部カバー４０２が、開いたスロット４０４を含み、内側スライド部材４１０の伸長部４０６を受け入れる。伸長部がピン４０８を支持し、これが、上部カバーの下に位置づけられ、また開いたスロットにより規定される輪郭内のラッチ部材に係合する。
【００４７】
図５及び６は、電子的に作動されるロッキング機構を有する更なる引き出しスライドを図示する。電子的に作動されるロッキング機構を有する更なる引き出しスライドは、図１〜４の装置と同様のコンポーネントを含む。図５の引き出しスライドが、外側スライド部材５１５に順に入れ子になる、中間スライド部材５１３に入れ子の内側スライド部材５１１を含む。内側スライド部材の後部がタブ５１７を含み、これが、内側スライド部材のウェブから及びそれにより規定される平面で延びる。タブが、（図６において６１３として部分的に示される）ピンを含み、図１〜３の実施形態に関して議論のように、これがラッチレシーバー５１９により受け入れられる。ラッチレシーバーが筐体５２１内にあり、スライド組立品の後部に結合される。先述の実施形態のように、ロッキングアーム５２３が、ラッチレシーバーをロックされた位置に維持し、ロッキングアームが、通常、バネによりロッキング位置に付勢される。モーター５２７として図示される、電気的に作動されるアクチュエーターにより稼働されるカム５２５が、選択的に回転され、ロッキングアームにカムし、バネによる垂直の付勢(normal bias)に打ち勝ち、ラッチレシーバーがロッキングアームを除く。
【００４８】
モーターが、回路基板５３５に実装されたマイクロプロセッサー５３７により指令されて動作する。回路基板は、ロッキング機構を保持する基部上に搭載される、絶縁性スリーブの輪郭に適合する。絶縁性スリーブは、例えば、ロッキング組立品の金属部品から回路基板及びマイクロプロセッサーを電気的に絶縁し、同様に、ロック機構に進入する、さもなければロック機構の使用過程で生成されるスプリアス・デブリ（spurious debris）からの幾つかの保護を提供する。
【００４９】
様々な実施形態においては、マイクロプロセッサーが、マイクロプロセッサー、デジタル信号プロセッサー（ＤＳＰ）、ＦＰＧＡ、又はカスタム又は半カスタムＡＳＩＣの形態をとり得る。マイクロプロセッサーが、外部装置、例えば、アクセスコントローラーから信号を受け取り、組立品をロック又はロック解除する。幾つかの実施形態においては、引き出しスライドに実装される引き出しのロック又はロック解除を外部から指示するために用いられる、アクセスコントローラーが、例えば、正の電圧信号又は負の電圧信号を印加することで第１電圧信号を提供し、組立品のためにロック解除状態を指示し、また第１電圧を除いてロック状態を指示する。アクセスコントローラーからの信号の不在の場合、例えば、アクセスコントローラーへの電力の喪失又はマイクロプロセッサーとアクセスコントローラーの間の信号路の不通の場合、そのような信号の構成は、引き出しの高められた安全性若しくはロッキング機構によりロックされた他の入れ物の高められた安全性を提供する。
【００５０】
様々な実施形態においては、マイクロプロセッサーが電力変換器を含み、広範囲の入力電圧を許容し、作動時、絶対的に概して一定の電圧を提供し、出力が、正の相対的に定電圧又は負の相対的に定電圧の間で切り替え可能である。切り替え可能な相補的な出力の利用により、オン又は作動時、単一の広範囲の電圧入力の使用でモーターを２方向のいずれにも駆動することが許容される。幾つかの実施形態においては、マイクロプロセッサー、又は回路基板上の他の回路が、例えば、約５Ｖ〜３０Ｖの範囲の入力電圧を受け取り、約±５Ｖの電圧として出力を提供する。幾つかの実施形態においては、第１電力変換器が、５Ｖ〜３０Ｖの範囲の入力電圧を５Ｖの電圧に変換するために用いられ、第２電力変換器が、例えば、マイクロプロセッサーにより指令されるように、モーターに供給される電圧を−５Ｖ、０Ｖ、又は５Ｖに切り替え可能に変換するために用いられる。
【００５１】
幾つかの実施形態においては、マイクロプロセッサーは、モーターに指令し、モーターを第１方向に所定の時間だけ駆動することで、若しくは、例えば、ステッピング・モーターのため、規定のステップ数を介して、ロックされた位置からロック解除の位置までレバーアームを効率的に駆動する。同様に、マイクロプロセッサーは、モーターに指令し、第１方向とは反対の第２方向に所定の時間だけモーターを駆動することで、若しくは規定のステップ数を介して、ロック解除位置からロック位置までレバーアームを効率的に駆動する。この点について、例えば、カム上の突起により提供されるカム停止部の存在は、カムのために正の既知の停止位置を提供し、モーターが、ロック及びロック解除位置で、時間に亘る動作の確実性を向上する。
【００５２】
ラッチレシーバーの前端が、更に、既出の実施形態のラッチレシーバーと比較し、フランジ５２９を形成する延びる基部表面を含み、これが、参照番号６１１により図６に示されて見られる。第１スイッチ５５１がフランジに接触され、作動され、第１スイッチは、スライドを閉じることによりラッチアームレシーバーが閉位置に回転される時に閉状態に置かれる。
【００５３】
同様に、第２スイッチ５３１は、カムがロッキングアーム５２３をロッキング位置に配置するべくカムが位置される時にカム５２５の突起により接触されるように位置づけられ、第２スイッチは、カムがロッキング位置にロッキングアームを配置するべく位置される時、閉状態に置かれる。
【００５４】
幾つかの実施形態においては、スイッチの状態がマイクロプロセッサーに提供される。幾つかの実施形態においては、スイッチの状態が、幾つかの他のユニット、例えば、アクセスコントローラーに提供される。マイクロプロセッサーへのスイッチ状態の提供は、マイクロプロセッサーが、引き出しスライドが開いているか閉じているのか、若しくはロッキングアームがロッキング位置にあるのかどうかを決定することを許容する点において便利である。マイクロプロセッサーが、別のユニット、例えば、アクセスコントローラー、メモリー、及び／又は照明源といった視覚表示装置へ、この情報、つまり、ロッキング機構のロック／ロック解除状態及び／又は引き出しの開／閉状態を提供し得る。そのような情報の使用により、マイクロプロセッサー又はアクセスコントローラーが、例えば、アクセス記録の管理のための情報を保持することができ、若しくは、引き出し及びロック機構の状態の、例えば、照明源の照明により、視覚的な表現を提供できる。
【００５５】
幾つかの実施形態においては、スイッチが超小型スナップ作動タイプのスイッチである。スイッチが、バネが搭載されたレバーアームを含み、レバーアームの位置がスイッチ状態を決定する。スイッチの本体が、プラスチック材料を用いて成形され得る。好ましくは、第１スイッチの本体が、ロック基部上に位置される２つの対応のポスト上にスナップするための２つの穴を含む。ロック基部のポストと穴が、好ましくは、締まりばめ（interference fit）を提供するように設計され、組立品へのスイッチの締結を許容し、追加の締結具又は結合材の使用が必要ない。好ましくは、ポスト及び穴が、ラッチアームレシーバーに対してのスイッチの均一な動作のため、十分に精密に配置される。同様に、第２スイッチの本体が、ロック基部（又は幾つかの実施形態においては絶縁性スリーブ）のポストとの締まりばめのために構成された穴を含み、幾つかの実施形態においては、本体の直線の棚が、絶縁スリーブの対応の直線の棚に整列される。
【００５６】
図７は、引き出しスライド７１１に結合された更なるロック機構７１３を示す。ロック機構が、戻り止め機構を含み、戻り止め機構がラッチレシーバーのための戻り止め機構として提供される。戻り止め機構が、引き出しスライドに結合された引き出しを閉じる際の摩擦界面を許容し、引き出しが閉じられる動作過程でユーザーにフィードバックを提供し、引き出しを開く正の力の適用がなければ引き出しを閉位置に保持する点で、戻り止め機構が便利である。この点について、通常はラッチレシーバーが開位置に付勢されることを考えれば、ラッチレシーバーを閉位置にロックするためのレバーアームがロック解除状態にあるとしても、戻り止め機構が引き出しを閉位置に留まることを許容する点で戻り止め機構の使用が便利である。従って、幾つかの実施形態においては、戻り止め機構が、通常は開位置にラッチレシーバーを付勢するバネが生成する力を相殺する、また幾つかの実施形態においては、それを相殺するのに単に十分である。
【００５７】
図７に図示のように、引き出しスライドが、部分的に開いた位置にあり、ロック機構がロック解除状態にある。引き出しスライドの内側部材７１２が中間スライド部材７１４及び外側スライド部材７１６に対して部分的に伸ばされるため、引き出しスライドが、部分的に開位置にあるように見られる。ラッチレシーバー７２０を閉位置に維持するように機能するレバーアーム７１８が、レバーアームがラッチレシーバーの脚７２２の移動路にない位置にあるため、ロック機構が、ロック解除状態にあるように見られ、カム７２４のためにその位置にあるレバーアームがモーター７２６によりカム位置に回転されている。従って、レバーアームが、ロックされた位置にラッチレシーバーを維持する位置にない。
【００５８】
従前の図面のロック機構と比較し、図７のロック機構が、ロック機構の基部７２８に結合した、幾らか銃剣の形態の板バネ７１５を追加として含む。板バネがリベット又は同種のものによりロックの基部に結合される。板バネの突出部が、ラッチレシーバーの脚の移動路内に延び、突出部は、ラッチレシーバーが閉位置にある時、ラッチレシーバーの脚が板バネを基部に向かって付勢するように位置される。板バネが、そのような位置にあるラッチレシーバーの脚を押圧することを考えれば、板バネと脚の間の摩擦力が、通常、ラッチレシーバーを閉位置に維持するように機能する。加えて、ラッチレシーバーが閉位置に移動するため、ラッチレシーバーの脚と板バネの間の摩擦力が、ラッチレシーバー脚が板バネを基部に向かって押圧するため、摩擦界面（frictional interface）を形成し、ロック機構、また引き出しスライドのための戻り止め機構を提供する。
【００５９】
動作においては、内側スライド部材が閉位置に移動するため、内側スライド部材上のピン（不図示）がラッチレシーバーの凹部に接触し、ラッチレシーバーを閉位置に向かって動かし始める。ラッチレシーバーが閉位置に到達すると、ラッチレシーバーの脚が板バネに接触し、接触により閉位置における戻り止めが提供される。その後、内側スライド部材に結合した引き出しを引くことにより提供されるといった力の付与を介し、スライド部材が開けられる。しかしながら、力の付与がなければ、内側スライド部材、また従って、引き出しスライドに結合した引き出しが、閉位置に留まる。
【００６０】
加えて、ロック機構が、ラッチレシーバーの前に位置される、対向ポスト７１７ａ、ｂも含む。内側スライド部材が閉位置にある時、内側スライド部材から延びるタブ７３０の両側の近傍になるようにポストが位置される。対向ポストの各々が、それらの端部にリップを含み、リップがお互いに対向し、従って、内側スライド部材の長手中心線に臨む。突起７１９がタブの側面から延びる。内側スライド部材が閉位置にある時、突起がポストに隣接し、そのポストのリップが、他のスライド部材から離れる方向における突起、また従って内側スライド部材の動きを制約する。内側スライド部材が閉位置にある時に、ピンが、また、より強固にラッチレシーバーの凹部に保持される点において、そのような制約が有益である。もちろん、上述のところから、幾つかの実施形態においては、単一のポストのみが用いられることが明らかである。しかしながら、２つのポストの使用が、内側スライド部材の反対の実装、又は他の表現ではアンハンド機構（unhanded mechanism）も許容する。加えて、幾つかの実施形態においては、内側スライド部材の２つの突起が用いられ、突起がタブの反対側にあり、内側スライド部材に増加された制約を提供する。
【００６１】
図８は、本発明の側面に係る更なるロック機構の斜視図を示す。図８の実施形態は、様々な開口部を有する基部８１２、例えば、基部を、例えば、キャビネットの側面に実装するための開口部８１４を含む。先行の実施形態のように、ロック機構が、カム８２０を駆動し、レバーアーム８２１を回転させ、ラッチレシーバー８１１の脚８２３の通路から出入りさせるべく構成されたモーター８１６を含む。ラッチレシーバーが、例えば、ドア、引き出し、又は入れ物のカバーに結合されたラッチ８１７を受入また保持するように構成される。図８の実施形態においては、モーターが、ロック機構に含まれるマイクロプロセッサーにより制御される。しかしながら、様々な実施形態においては、モーターが、さもなければ、外部信号源により提供される信号により制御され、ロック機構がマイクロプロセッサーを含まない。図８の実施形態においては、マイクロプロセッサーが、シールドされた回路基板８１８上にある。マイクロプロセッサーは、モーターを第１方向に回転させ、カムをカム位置に移動させ、そして、モーターを第２方向に回転させ、例えば、第２方向が第１方向の反対であり、カムを非カム位置に移動させるようにプログラムされる。両方の場合において、カム上の停止部、例えば、停止部８２２が、カム又は非カム位置のいずれかで基部に接触するように位置され、これによりカム及び非カム位置で正の停止部を提供する。これが、モーターによるカムの回転における僅かな振動のために時間に亘るカム及びモータースピンドル位置の不正確を回避するのに役立つ。ロック機構は、バネ８２６を含む筐体８２４から延びるプランジャー８１９も含み、ロック機構のためのセルフオープン機能を提供する。
【００６２】
ラッチレシーバーが、ラッチレシーバーのあご部８１３と対向の歯部８１５の間に形成された凹部を有する。ラッチレシーバーは、動作において、ラッチにより接触され、これにより、閉じられる時、ラッチレシーバーが閉位置まで回転させられる。
【００６３】
図８の実施形態の平面図を示す、図９に見られるように、マイクロスイッチ９１３が、あご部の下に位置される。ラッチレシーバーがロックされた位置にある時、あご部の下部がマイクロスイッチに接触し、スイッチを閉じるように、マイクロスイッチが位置される。ロック機構内又はロック機構の外部のマイクロプロセッサー、若しくは幾つかの他の回路素子にマイクロスイッチを結合することで、ラッチレシーバーの状態を通知することが許容される。
【００６４】
図１０は、ロック機構の更なる実施形態を図示する。図１０の実施形態が、図９の実施形態と同様である。しかしながら、図１０の実施形態が、プランジャー及び関連のコンポーネントにより提供されるセルフオープン機能を含まない。これに代えて、図１０の実施形態が、戻り止め機構を含む。図１０に図示のように、戻り止め機構は、図７の実施形態のラッチレシーバー戻り止め機構の構成において、可撓性バネ構造１０１３を有し、板バネ形態において図示され、ラッチレシーバーの脚１０１１のために閉位置にて戻り止めを提供する。
【００６５】
図１１は、図９及び１０のものと同様の更なるロック機構を図示する。図９及び１０の実施形態のように、図１１のロック機構が、基部１１１２に結合されたラッチレシーバー１１１１を含む。ラッチレシーバーが、ラッチアーム１１１７を受け取り、ラッチレシーバーが、レバーアーム１１１３によりロック位置に保持される。モーター１１１６は、ラッチレシーバーを開放するように、カムの作動により、レバーアームを回転するように運転可能である。従って、レバーアームが、ロック位置（レバーアームがラッチレシーバーを閉位置にロックする位置）に置かれ、若しくはロック解除された位置（レバーアームがラッチレシーバーの動きを妨げない位置）に置かれる。レバーアームをロック解除された位置に置くため、モーターがカムを回転させ、偏心して延びるカム面１１２３をレバーアームに対して置き、レバーアームがロック解除位置に変位させられる。
【００６６】
カムは、カム上の突起の形態のカム停止部も含む。カム停止部が、カム、またモータースピンドルの回転を阻止し、時間に亘って動作期間のカムの位置づけの規則性が高められる。第１カム停止部１１２４が、カム位置にあるカムの回転を停止し、カム表面１１２３が、レバーアームをロック解除位置に変位する。第１カム停止部が、基部プレート１１２６との接触によりカムの回転を停止し、基部プレートが、カム位置を過ぎたカムの更なる回転を阻止する。同様に、第２カム停止部１１２２が、非カム位置のカムの回転を停止し、カム表面１１２３が、レバーアームから離れる。第１カム停止部のように、第２カム停止部が、基部プレートに接触することによりカムの更なる回転を停止する。幾つかの実施形態においては、基部プレートが用いられず、例えば、基部プレートの機能が、基部１１１２により提供される。しかしながら、様々な実施形態においては、基部１１１２（及びその対応のカバー（図１１では不図示））が、柔軟材料、例えば、様々なプラスチックから成り、これが時間の経過と共に損傷又は変形される。従って、より硬くより丈夫な材料、例えば、様々な金属からなる基部プレートの使用が有益である。
【００６７】
図１２は、本発明の側面に係るシステムの半ブロック図である。図１２に図示のように、キャビネット１２１１が、複数の引き出しを有し、４つの引き出し１２１３ａ〜ｄが図示される。引き出しの各々が、引き出しスライドによりキャビネットに伸長可能に結合される。引き出しスライドが、例えば、引き出しの底面に実装される、アンダーマウント型の引き出しスライドの形態であり、若しくは例えば引き出しの対向側面に実装される、入れ子式又は他の種類の引き出しスライドであり得る。図１２の例においては、各引き出しが、一組の入れ子式の引き出しスライドを用いてキャビネットに結合され、一つの入れ子式の引き出しスライド１２１５ａ〜ｄが各引き出しのために図示される。
【００６８】
引き出しスライド１２１５ａ〜ｄの各々が、対応のロック機構１２１７ａ〜ｄを含み、各ロック機構が、対応の引き出しスライドの後部近傍に図示される。幾つかの実施形態においては、特定の引き出しのための多数又は全ての引き出しスライドにはロック機構が装備され、他の実施形態においては、単一の引き出しスライドのみにロック機構が装備される。ロック機構は、例えば、図１、２、３、８、９、及び１０に関して記述し、若しくは本明細書の他の図面に関して記述した、例えば、図５及び６のものである。ほとんどの実施形態においては、概して、キャビネットに対する引き出しスライド部材の動きを制限することにより、ロッキング機構が、閉位置に引き出しを機械的にラッチし、また電子的に作動されるアクチュエーターが引き出しスライド部材を開放し、キャビネットに対する動きが許容される。加えて、多くの実施形態においては、１以上又は全ての引き出しスライドがプッシュアウト装置、例えば、バネ駆動によるプッシュアウト（突き出し）（push out）装置が具備され、引き出しスライド部材の開放に際して、少なくとも部分的に引き出しを開ける。
【００６９】
各ロック機構が、制御回路１２２５に電気的に結合される。幾つかの実施形態においては、図５及び６に関して記述したアクセスコントローラーである制御回路が筐体１２１９に収容され、これがキャビネットに内にあり、若しくはそれに結合される。幾つかの実施形態においては、共通の制御回路が全ての引き出しのために提供され、例えば、各引き出しのロック機構へ別々の電気接続が具備される。他の実施形態においては、別々の制御回路が、各引き出しのために提供され、別々の制御回路が、別々の筐体内に収容される。制御回路が、例えば、引き出しごとの開放信号を生成するための回路を含み得る。ほとんどの実施形態においては、制御回路が入力信号を受け取り、入力信号に基づいて、開放信号が生成されるべきかを決定する。多くの実施形態においては、もし入力信号が特定の引き出しのための規定のパターンに適合するならば、制御回路が、特定の引き出しのために開放信号を生成する。一例として、幾つかの実施形態においては、制御回路は、受け取った入力信号が第１引き出しのためのコードセット（code set）に整合すると制御回路が決定するならば、第一引き出しのための開放信号を生成し、また、受け取った入力信号が第２引き出しのためのコードセットに整合すると制御回路が決定するならば、第２引き出しのための開放信号を生成するように構成される。
【００７０】
図１２に示す実施形態においては、制御回路が、アンテナ１２２３を介して無線通信信号を受け取るように構成された受信器１２２１から入力信号を受け取る。もちろん赤外又は他の無線通信手段が他の実施形態においては用いられる。幾つかの実施形態においては、制御回路が、無線自動識別（ＲＦＩＤ（radio frequency identification））カード読み取り機又は近接センサーにより入力信号を受け取る。また他の実施形態においては、制御回路が、タッチパッド、例えば、コード入力用の数字のタッチパッド、又は他のハード・ワイヤーの入力回路により入力信号を受け取る。受信器が制御回路と同一の筐体に設けられ、若しくは、例えば、タッチパッドの使用でより多く発生するように、筐体の外部に設けられる。
【００７１】
制御回路及び受信器が、ＡＣ商用電源又は電力生成器により電源供給され、幾つかの実施形態においては、概して電源供給ユニットにより供給される電力変換回路によりＤＣ電源に変換される。他の実施形態においては、制御回路及び受信器が、バッテリーで電源供給される。幾つかの実施形態においては、ＡＣ商用電源又は電力生成器が、一次電源であり、一次電源の喪失の場合のバッテリー電源がバックアップ電源として提供される。
【００７２】
従って、本発明が、引き出しスライド、ロッキング機構、及びロッキング機構を有する引き出しスライドを提供する。本発明が特定の実施形態に関して記述されたが、本発明が、非本質的な変更と共に、この開示により裏付けられる新規な非自明な請求項を備えるものと理解される。
【図１】
2015525621.tif 000003
【図２】
2015525621.tif 000004
【図３】
2015525621.tif 000005
【図４】
2015525621.tif 000006
【図５】
2015525621.tif 000007
【図６】
2015525621.tif 000008
【図７】
2015525621.tif 000009
【図８】
2015525621.tif 000010
【図９】
2015525621.tif 000011
【図１０】
2015525621.tif 000012
【図１１】
2015525621.tif 000013
【図１２】
2015525621.tif 000014
【国際調査報告】
2015525621.tif 000015
2015525621.tif 000016